(57)【要約】【課題】  まれな疾患であるが早期診断の難しいグルタル酸尿症II型（ＧＡII）の早期且つ確実な診断に資する手段を提供する。【解決手段】  ＧＡIIの病因となる電子伝達フラビン蛋白脱水素酵素（ＥＴＦ−ＱＯ）をコードする遺伝子のｃＤＮＡの１０９６位のシトシンがチミンに、および１２０８位のシトシンがチミンにミスセンス変異したポリヌクレオチドもしくはその一部またはそれらがコードするポリペプチドもしくはその一部などを利用してＧＡIIの診断を行なう。【選択図】  なし【特許請求の範囲】
【請求項１】
電子伝達フラビン蛋白脱水素酵素をコードする遺伝子のポリヌクレオチドであって、配列番号１のＤＮＡ配列において第１０９６位のｃ（シトシン）がｔ（チミン）に、および第１２０８位のｃ（シトシン）がｔ（チミン）に塩基置換しているポリヌクレオチドまたはその相補配列。
【請求項２】
請求項１のポリヌクレオチドの一部であって、配列番号１の第１０９６位置換塩基ｔ、または第１２０８位置換塩基ｔを含む２０〜１００の連続したＤＮＡ配列から成るオリゴヌクレオチドまたはその相補配列。
【請求項３】
請求項１のポリヌクレオチドもしくは請求項２のオリゴヌクレオチド、またはそれらの相補配列とストリンジェントな条件下でハイブリダイズするヒト染色体ＤＮＡ由来のポリヌクレオチド。
【請求項４】
請求項３のポリヌクレオチドとその相補配列からなる二本鎖ポリヌクレオチド、または請求項３のポリヌクレオチドから転写されるｍＲＮＡをＰＣＲ増幅するためのプライマーセットであって、一方のプライマーが配列番号１の第１０９６位置換塩基ｔ、または第１２０８位置換塩基ｔを含む１５〜３０の連続したＤＮＡ配列またはその相補配列からなるオリゴヌクレオチドであるプライマーセット。
【請求項５】
請求項１または３のポリヌクレオチドにコードされるか、または該ポリヌクレオチドの発現によって得られるポリペプチドであって、配列番号２のアミノ酸配列において、第３６６位のＬｅｕ（ロイシン）がＰｈｅ（フェニルアラニン）に、および第４０３位のＡｌａ（アラニン）がＶａｌ（バリン）にアミノ酸置換されているポリペプチド。
【請求項６】
請求項５のポリペプチドの一部であって、配列番号２の第３６６位置換アミノ酸残基Ｐｈｅ、または第４０３位置換アミノ酸残基を含む５〜３０の連続したアミノ酸配列からなるオリゴペプチド。
【請求項７】
請求項６のオリゴペプチドを抗原として作製された抗体。
【請求項８】
グルタル酸尿症II型の診断方法であって、被験者から単離した染色体ＤＮＡ中に請求項３のポリヌクレオチドが存在するか否かを検出することを特徴とする方法。
【請求項９】
被験者から単離した染色体ＤＮＡまたはそのｍＲＮＡと、請求項１のポリヌクレオチドもしくは請求項２のオリゴヌクレオチド、またはそれらの相補配列がストリンジェントな条件下でハイブリダイズするか否かを検出する請求項８の方法。
【請求項１０】
被験者から単離した染色体ＤＮＡまたはｍＲＮＡを鋳型とし、請求項４のプライマーセットを用いてＰＣＲを行った場合のＰＣＲ産物の有無を検出する請求項８の方法。
【請求項１１】
グルタル酸尿症II型の診断方法であって、被験者から単離した生体試料中に請求項５のポリペプチドが存在するか否かを検出することを特徴とする方法。
【請求項１２】
被験者から単離した生体試料中に、請求項７の抗体と反応するポリペプチドが存在するか否かを検出する請求項１１の方法。
【請求項１３】
請求項２のオリゴヌクレオチドを標識化したことを特徴とするＤＮＡプローブ。
【請求項１４】
請求項２のオリゴヌクレオチドを含むことを特徴とするＤＮＡチップ。
【請求項１５】
請求項７の抗体を標識化したことを特徴とする標識化抗体。
【発明の詳細な説明】
【技術分野】
【０００１】
本発明は、遺伝子診断の技術分野に属し、特に、グルタル酸尿症II型の病因遺伝子となる電子伝達フラビン蛋白脱水素酵素をコードする異常遺伝子とそれを利用するグルタル酸尿症II型の診断方法に関する。
【背景技術】
【０００２】
グルタル酸尿症II型（以下、ＧＡIIと記すことがある）はマルチプルアシルＣｏ−Ａ脱水素酵素欠損症とも呼ばれ、臨床症状は生後すぐに重篤な低血糖症に陥るもの、乳児期に乳児突然死症候群や症候群様を呈するもの、成人近くまで全く無症状のものとその重症度は様々である。ＧＡIIの原因はミトコンドリアの電子伝達フラビン蛋白（electron transfer flavoprotein : ＥＴＦ）または電子伝達フラビン蛋白脱水素酵素（ＥＴＦ−ＱＯ：ＥＣ 1. 5. 5. 1）の異常による。ＥＴＦはα（α−ＥＴＦ）とβサブユニット（β−ＥＴＦ）とで構成される２量体である。α、β−ＥＴＦとＥＴＦ−ＱＯはそれぞれ独立した遺伝子にコードされている。しかし、ＥＴＦ−ＱＯのゲノム構造とＧＡIIとの関係は殆ど明らかとなっていなかった。
【０００３】
本発明者らは、先にＧＡIIをもたらすＥＴＦ−ＱＯ遺伝子の一つの変異を見出し、それを利用するＧＡIIの診断法を提示している（特許文献１）。この発見は、ＧＡIIの診断にきわめて有用なものであるが、更なる進歩のためには遺伝子レベルでの研究の継続が求められている。
【特許文献１】特開２００３−７０４７６公報
【発明の開示】
【発明が解決しようとする課題】
【０００４】
本発明の目的は、まれな疾患であるが臨床症状の多様性から早期診断は難しいＧＡIIに関して早期且つ確実な診断に資する手段を提供することにある。
【課題を解決するための手段】
【０００５】
本発明者は、このたび、ＧＡIIをもたらす新たなＥＴＦ−ＱＯ遺伝子の変異を見出した。すなわち、後にも詳述するように、ＧＡIIと診断された患者とその家族のＥＴＦ−ＱＯ遺伝子を調べたところ、ＥＴＦ−ＱＯ遺伝子のｃＤＮＡの１０９６位がシトシンではなくチミンに変異しており、１２０８位がシトシンではなくチミンに変異しており、ホモ接合体であること、これが両親由来であること、さらに、健常対象者のＥＴＦ−ＱＯ遺伝子ｃＤＮＡにはこの変異が見られないことから、上記の変異がＧＡIIの病因の一つであることを確認した。
【０００６】
本発明は、このような知見を基礎に導かれたものであり、この出願は、前述の課題を解決するものとして、以下の（１）〜（１５）の発明を提供する。
（１）  電子伝達フラビン蛋白脱水素酵素をコードする遺伝子のポリヌクレオチドであって、配列番号１のＤＮＡ配列において第１０９６位のｃ（シトシン）がｔ（チミン）に、および第１２０８位のｃ（シトシン）がｔ（チミン）に塩基置換しているポリヌクレオチドまたはその相補配列。
（２）  前記発明（１）のポリヌクレオチドの一部であって、配列番号１の第１０９６位置換塩基ｔ、または第１２０８位置換塩基ｔを含む２０〜１００の連続したＤＮＡ配列から成るオリゴヌクレオチドまたはその相補配列。
（３）  前記発明（１）のポリヌクレオチドもしくは前記発明（２）のオリゴヌクレオチド、またはそれらの相補配列とストリンジェントな条件下でハイブリダイズするヒト染色体ＤＮＡ由来のポリヌクレオチド。
（４）  前記発明（３）のポリヌクレオチドとその相補配列からなる二本鎖ポリヌクレオチド、または前記発明（３）のポリヌクレオチドから転写されるｍＲＮＡをＰＣＲ増幅するためのプライマーセットであって、一方のプライマーが配列番号１の第１０９６位置換塩基ｔ、または第１２０８位置換塩基ｔを含む１５〜３０の連続したＤＮＡ配列またはその相補配列からなるオリゴヌクレオチドであるプライマーセット。
（５）  前記発明（１）または（３）のポリヌクレオチドにコードされるか、または該ポリヌクレオチドの発現によって得られるポリペプチドであって、配列番号２のアミノ酸配列において、第３６６位のＬｅｕ（ロイシン）がＰｈｅ（フェニルアラニン）に、および第４０３位のＡｌａ（アラニン）がＶａｌ（バリン）にアミノ酸置換されているポリペプチド。
（６）  前記発明（５）のポリペプチドの一部であって、配列番号２の第３６６位置換アミノ酸残基Ｐｈｅ、または第４０３位置換アミノ酸残基を含む５〜３０の連続したアミノ酸配列からなるオリゴペプチド。
（７）  前記発明（６）のオリゴペプチドを抗原として作製された抗体。
（８）  グルタル酸尿症II型の診断方法であって、被験者から単離した染色体ＤＮＡ中に前記発明（３）のポリヌクレオチドが存在するか否かを検出することを特徴とする方法。
（９）  被験者から単離した染色体ＤＮＡまたはそのｍＲＮＡと、前記発明（１）のポリヌクレオチドもしくは前記発明（２）のオリゴヌクレオチド、またはそれらの相補配列がストリンジェントな条件下でハイブリダイズするか否かを検出する前記発明（８）の方法。
（１０）  被験者から単離した染色体ＤＮＡまたはｍＲＮＡを鋳型とし、前記発明（４）のプライマーセットを用いてＰＣＲを行った場合のＰＣＲ産物の有無を検出する前記発明（８）の方法。
（１１）  グルタル酸尿症II型の診断方法であって、被験者から単離した生体試料中に前記発明（５）のポリペプチドが存在するか否かを検出することを特徴とする方法。
（１２）  被験者から単離した生体試料中に、前記発明（７）の抗体と反応するポリペプチドが存在するか否かを検出する前記発明（１１）の方法。
（１３）  前記発明（２）のオリゴヌクレオチドを標識化したことを特徴とするＤＮＡプローブ。
（１４）  前記発明（２）のオリゴヌクレオチドを含むことを特徴とするＤＮＡチップ。
（１５）  前記発明（７）の抗体を標識化したことを特徴とする標識化抗体。
【発明の効果】
【０００７】
本発明に従えば、ＧＡIIの病因遺伝子となるＥＴＦ−ＱＯ遺伝子の変異を確認することにより、培養リンパ芽球の樹立を行なうことなく、ＧＡIIの早期診断を正確に行なうことができる。
【発明を実施するための最良の形態】
【０００８】
以下、これらの各発明の実施形態について詳しく説明する。なお、本明細書においては、１０１個以上のヌクレオチドの連続配列をポリヌクレオチド、２〜１００個の連続ヌクレオチド配列をオリゴヌクレオチドと定義する。また、３１個以上のアミノ酸連続配列をポリペプチド、２〜３０個の連続アミノ酸配列をオリゴペプチドと定義する。
【０００９】
この出願の発明（１）は、ＥＴＦ−ＱＯ遺伝子のｃＤＮＡ（配列番号１）の変異ＤＮＡ配列であり、配列番号１のＤＮＡ配列において第１０９６位のｃ（シトシン）がｔ（チミン）に、および第１２０８位のｃ（シトシン）がｔ（チミン）に塩基置換しているポリヌクレオチドまたはその相補配列である。
なお、配列番号１で示されるＥＴＦ−ＱＯ遺伝子のＤＮＡ配列は、GenBankにAccessin No. S
69232として登録されている。既述したように、本発明に係る異常遺伝子は、この正常（野生型）ＥＴＦ−ＱＯ遺伝子のｃＤＮＡの１０９６位および第１２０８位が点変異したミスセンス変異（missense mutation）に因るものである。
【００１０】
発明（１）のポリヌクレオチドは、例えば、後記の発明（２）のオリゴヌクレオチドをプローブとして、ＧＡII患者の全ｍＲＮＡから調製したｃＤＮＡライブラリーをスクリーニングすることによって単離することができ得る。また後記の発明（４）のプライマーセットを用い、ＧＡII患者のｍＲＮＡを鋳型とするＲＴ−ＰＣＲによって単離することもできる。あるいは、野生型（正常）ＥＴＦ−ＱＯのｃＤＮＡに、市販のミューテーションキット等を用いて前記の塩基置換を導入することによって取得することもできる。
【００１１】
この出願の発明（２）は、前記発明（１）のポリヌクレオチドの一部であって、各々の置換塩基を含む２０〜１００の連続したＤＮＡ配列からなるオリゴヌクレオチドまたはその相補配列である。
発明（２）のオリゴヌクレオチドは、公知の方法によって化学的に合成して作製することができる。また、発明（１）のポリヌクレオチドを適当な制限酵素で切断するなどの方法によって作製することもできる。
発明（２）のポリヌクレオチド、後記の発明（８）のＧＡIIの診断方法等に使用することができる。
【００１２】
この出願の発明（３）は、前記発明（１）のポリヌクレオチドもしくは前記発明（２）のオリゴヌクレオチド、またはそれらの相補配列とストリンジェントな条件下でハイブリダイズするヒト染色体ＤＮＡ由来のポリヌクレオチド（ゲノムＤＮＡ）である。
ここで、ストリンジェント（stringent）な条件とは、それらのポリヌクレオチドまたはオリゴヌクレオチドと、染色体由来のゲノムＤＮＡとの選択的かつ検出可能な特異的結合を可能とする条件である。よく知られているように、ストリンジェント条件は、塩濃度、温度、およびその他の条件によって決まり、例えば、塩濃度が低いほど、温度が高いほど、ストリンジェンシー（stringency）は高くなり、ハイブリダイズしにくくなる。塩濃度は、一般に、ＳＳＣ溶液（ＮａＣｌ＋クエン酸三ナトリウム）の濃度を調節することによって調節され、ストリンジェントな塩濃度は、例えば、ＮａＣｌ約２５０ｍＭ以下およびクエン酸三ナトリウム約２５ｍＭ以下である。ストリンジェントな温度は、一般に、完全ハイブリッドの融解温度（Ｔｍ）より１５〜２５℃低い温度であり、例えば、約３０℃以上である。溶液に有機溶媒（例えばホルムアミド）を加えることにより、温度を下げることができる。その他の条件としては、ハイブリダイゼーション時間、洗浄剤（例えば、ＳＤＳ）の濃度、およびキャリアーＤＮＡの存否等であり、これらの条件を組み合わせることによって、様々なストリンジェンシーを設定することができる。
【００１３】
１つの好ましい例として、２５０ｍＭ  ＮａＣｌ、２５ｍＭクエン酸三ナトリウム、１％ＳＤＳ、５０％ホルムアミド、２００μｇ／ｍｌの変性サケ精子ＤＮＡの条件で、４２℃の温度によりハイブリダイゼーションを行う。また、ハイブリダイゼーション後の洗浄の条件もストリンジェンシーに影響する。この洗浄条件もまた、塩濃度と温度によって定義され、塩濃度の減少と温度の上昇によって洗浄のストリンジェンシーは増加する。１つの好ましい例として、１５ｍＭ  ＮａＣｌ、１．５ｍＭクエン酸三ナトリウムおよび０．１％ＳＤＳの条件で、６８℃の温度により洗浄を行う。ストリンジェントな条件については、例えば、J. Sambrookらによる「Molecular Cloning, A Laboratory Mannual,
Second Edition, Cold Spring Harbor Laboratory Press (1989)、特に１１．４５節“Conditions for Hybridization of Oligonucleotide Probes”」に詳述されており、それらの記載を参照することによって容易に適切な条件を使用することができる。
【００１４】
発明（３）のポリヌクレオチドは、例えば、発明（２）のオリゴヌクレオチドをプローブとして、上述したようなストリンジェントなハイブリダイゼーションおよび洗浄処理により、ＧＡII患者の染色体ＤＮＡから調製したゲノムライブラリーをスクリーニングすることによって単離することができる。
これらの発明（３）のポリヌクレオチドは、後記の発明（８）の診断方法において検出対象等となるものである。
【００１５】
この出願の発明（４）は、前記発明（３）のポリヌクレオチドとその相補配列からなる二本鎖ポリヌクレオチド（ゲノムＤＮＡ）、または前記発明（３）のポリヌクレオチドから転写されるｍＲＮＡをＰＣＲ増幅するためのプライマーセットである。そしてこれらのプライマーセットは、一方のオリゴヌクレオチドプライマーが、配列番号１の置換塩基を含む１５〜３０の連続したＤＮＡ配列またはその相補配列からなっている。他方のプライマーは、配列番号１の置換塩基の５’側または３’側の任意の連続ＤＮＡ配列またはその相補配列とすることができる。
これらのプライマーセットは、それぞれの置換塩基を含む配列番号１に基づいて公知のＤＮＡ合成法により作製することができる。また、プライマーの端部にはリンカー配列等を付加することもできる。
発明（４）のプライマーセットは、後記の発明（８）のＧＡIIの診断方法等に使用することができる。
【００１６】
この出願の発明（５）は、発明（１）または（３）のポリヌクレオチドにコードされるか、または該ポリヌクレオチドの発現によって得られるポリペプチドであって、配列番号２のアミノ酸配列において、第３６６位のＬｅｕ（ロイシン）がＰｈｅ（フェニルアラニン）に、および第４０３位のＡｌａ（アラニン）がＶａｌ（バリン）にアミノ酸置換されているポリペプチドである。
すなわち、既述したように、発明（１）のポリヌクレオチドにおける塩基置換は、ミスセンス変異であり、塩基置換によって正常（野生型）ポリペプチドのアミノ酸が上記のように変異している。
これらのポリペプチドは、ＧＡII患者の生体試料から公知の方法に従って単離する方法、それぞれの置換アミノ酸残基を含む配列番号２のアミノ酸配列に基づき化学合成によってペプチドを調製する方法、あるいは発明（１）のポリヌクレオチド（変異ｃＤＮＡ）を用いて組換えＤＮＡ技術で生産する方法などにより取得することができる。これらの発明（５）ポリペプチドは、例えば、後記の発明（１１）のＧＡIIの診断方法の検査対象とすることができる。
【００１７】
この出願の発明（６）は、前記の発明（５）のポリペプチドの一部であって、置換アミノ酸を含む５〜３０の連続したアミノ酸配列を有するオリゴペプチドである。これらのオリゴペプチドは、所定のアミノ酸配列に基づいて化学的に合成する方法、あるいは発明（５）のポリペプチドを適当なプロテアーゼによって消化する方法等によって作製することができる。これらのオリゴペプチドは、例えば、後記の発明（７）の抗体作製のための抗原として使用することができる。
【００１８】
発明（７）の抗体は、前記の発明（６）のオリゴポリペプチドを抗原として作製されたポリクローナル抗体またはモノクローナル抗体である。これらの抗体は公知の抗体作製法により作製することができる。また、この抗体は、発明（５）のポリペプチドを特異的に認識することができ、後記の発明（１１）の診断方法等に使用することができる。
【００１９】
この出願の発明（８）は、被験者がＧＡIIを発症する可能性があるか否かを診断する方法である。すなわち、被験者の生体試料から染色体ＤＮＡを単離し、このＤＮＡ中に、発明（３）のポリヌクレオチドが存在する場合に、この被験者をＧＡIIに関してハイリスクと判定する。ポリヌクレオチドの検出は公知の様々な方法によって行うことができるが、発明（９）または（１０）の方法が好ましい。
【００２０】
発明（９）の方法では、被験者から単離した染色体ＤＮＡまたはそのｍＲＮＡと、前記発明（１）のポリヌクレオチドまたは発明（２）のオリゴヌクレオチドがストリンジェントな条件下でハイブリダイズするか否かを検出する。被験者がＧＡIIに関連した遺伝子変異を有している場合には、染色体ＤＮＡまたはそのｍＲＮＡとポリヌクレオチドまたはオリゴヌクレオチドは、ストリンジェントな条件下でもハイブリダイズする。ハイブリダイゼーションは公知の方法によって検出することができ、例えば、発明（１３）のＤＮＡプローブや、発明（１４）のＤＮＡチップを用いて、例えば、ＡＳＯ（allele specific oligomer）法によるハイブリダイゼーションを行うことにより、簡便かつ高精度で行うことができる。
【００２１】
また発明（１０）の方法では、被験者から単離した染色体ＤＮＡまたはｍＲＮＡを鋳型とし、前記の発明（４）のプライマーセットを用いて、公知の方法に従いＰＣＲ（ＲＴ−ＰＣＲを含む）を行った場合のＰＣＲ産物の有無を検出する。被験者がＧＡIIに関連した遺伝子変異を有している場合には、プライマーセットによって規定されるポリヌクレオチドのＰＣＲ産物が得られる。ＰＣＲ産物の分析も公知の方法、例えば、ＲＦＬＰ（restriction fragment length polymorphism）に従って実施することができる。
【００２２】
この出願の発明（１１）も、被験者がＧＡIIを発症する可能性があるか否かを診断する方法であり、被験者から単離した生体試料中に、発明（５）のポリペプチドが存在する場合に、その被験者をＧＡIIに関してハイリスクと判定する。ポリペプチドの存在は様々な公知方法によって行うことができるが、発明（１２）の方法が好ましい。発明（１２）の方法は、発明（７）抗体を用いる方法であって、特に発明（１５）の標識化抗体を用いることによって、簡便かつ高精度の検出が可能となる。標識は、酵素、アイソトープ、蛍光色素等の公知の各種のものを使用することができる。
【００２３】
以下に、本発明の基礎となった遺伝子変異を確認した研究内容について説明する。研究は、日本人のＧＡIIの分子生物学的異常を同定するとともに、ＥＴＦ−ＱＯ遺伝子のゲノム構造を明らかにする目的で行った。
【００２４】
方法
患者Ｂリンパ球より樹立したリンパ芽球と患者皮膚繊維芽細胞を材料とした。[＜ＳＵＰ＞３＜／ＳＵＰ＞Ｈ]−標識ミリスチン酸、パルミチン酸とオレイン酸を用いて細胞の脂肪酸β酸化能を対照細胞のそれと比較した。細胞ライゼート中のαおよびβ−ＥＴＦをウエスタンブロット法にて患者、対照細胞で比較した。αおよびβ−ＥＴＦの遺伝子の全エクソンと隣接イントロンをGenBankの情報に基づき、ＰＣＲで増幅し、直接シークエンスを行った。ＥＴＦ−ＱＯに関しては全翻訳領域を挟むＲＴ−ＰＣＲを行った後、直接シークエンスを行った。同時にＰＡＣ human genomic libraryよりＥＴＦ−ＱＯの全翻訳領域を含むクローンを単離したＥＴＦ−ＱＯ遺伝子のゲノム構造を明らかにした後、患者、家族および健常対照者のゲノムを用いたＥＴＦ−ＱＯ遺伝子解析を行った。解析はインフォームドコンセントを得て行われ、倫理委員会で承認された。
【００２５】
症例
症例は診断時２生月の男児で妊娠分娩歴に異常がなく、いとこ婚の両親の間に生まれた。同胞７名中２名の兄が精神運動発達遅滞を呈し幼児期に死亡している。本児は哺乳力低下、筋力低下で発症し、注入栄養で著しい脂肪肝をきたし、集中治療を要した。その後も精神運動発達遅滞が認められたが、３歳時突然死した。患者の尿中２−水酸化グルタル酸、エチルマロン酸やグルタル酸は著増しており、また発症時期等よりＧＡIIと化学診断した（Hirose
S. 他、Acta Paediatr 89 : 887-887, 2000）。
【００２６】
成績
患者リンパ芽球の脂肪酸β酸化能は正常に比べ低下しており、ＧＡIIの化学診断を支持した。ウエスタンブロット法では患者細胞中のαおよびβ−ＥＴＦに質的、量的な異常を見出さなかった。同様にαおよびβ−ＥＴＦの遺伝子に異常はなかった。ＲＴ−ＰＣＲによって得られたＥＴＦ−ＱＯのｍＲＮＡのサイズや発現に差は認められなかったが、患者のｃＤＮＡの１０９６位におけるシトシン→チミンおよび１２０８位におけるシトシン→チミンの変異を見出した。前者の変異は３６６番目のアミノ酸Ｌｅｕのコドンの１番目に位置しＰｈｅへのアミノ酸変異、また、後者の変異は４０３番目のアミノ酸Ａｌａのコドンの２番目に位置しＶａｌへのアミノ酸変異をもたらすミスセンス変異で患者はホモ接合体として有していると思われた。家族および患者のゲノム解析を行ったところ、両親と同胞のうち３人が本変異をヘテロ接合体として有しており、患者はホモ接合体であることを確認した。解析した範囲内のＥＴＦ−Ｑに他の変異はなかった。本変異により生じる制限酵素ＢａｍＨＩ切断を利用した健常対照者９６人由来のゲノム解析では本変異は見出されなかった。
【００２７】
結論
患児はαおよびβ−ＥＴＦに異常がなく、ＥＴＦ−ＱＯ遺伝子における１０９６位のｃ→ｔ塩基変異（３６６位のＬｅｕ→Ｐｈｅアミノ酸変異）および１２０８位のｃ→ｔ塩基変異（４０３位のＡｌａ→Ｖａｌアミノ酸変異）をホモ接合体として有していた。さらに、３６６位のＬｅｕおよび４０３位のＡｌａは種を越え、ＥＴＦ−ＱＯファミリーに保存されていること（図１参照）、健常対照者由来の２００アレルに同変異がなかったことにより、１０９６位のｃ→ｔ塩基変異（３６６位のＬｅｕ→Ｐｈｅアミノ酸変異）および１２０８位のｃ→ｔ塩基変異（４０３位のＡｌａ→Ｖａｌアミノ酸変異）を遅発型ＧＡIIをもたらす新規のＥＴＦ−ＱＯ遺伝子異常と判断した。
【産業上の利用可能性】
【００２８】
本発明は、ＧＡIIの早期診断を可能とする道具と手法を提供し、関連する各分野において利用されることができる。
【図面の簡単な説明】
【００２９】
【図１】電子伝達フラビタン蛋白脱水素酵素蛋白の３６６番ロイシンおよび４０３番アラニンが種を越えて穂損されていることを示す対比表である。図中、（Ａ）が３６６番ロイシン、（Ｂ）が４０３番アラニンについて示す。
【図１】
2005073626.tif 000002
【配列表】
2005073626000001.app